(57)【要約】【課題】不用意にメダルがメダル受け皿を越えて脱落する確率を低下させる。【解決手段】メダル受け皿６１のメダルを貯留する貯留部２１０は、開口面２１１と、開口面２１１と対向した底面２１２と、開口面２１１の縁から底面２１２の縁に亘って形成された内壁面２１３、２１４、２１５、２１６とから構成される。貯留部２１０は、遊技者側に位置し、遊技機本体となる前扉本体３００の下部３０１と対向する前壁１６０を有し、該前壁１６０の上部となる曲面部２０１、２０２は、下方から上方にかけて前記遊技者側から前記遊技機本体側へ向けて傾斜がつけられている。前壁１６０は、メダル払出口６２と対向する以外の部分に、他の部分より上端が低い位置に形成された切欠部２０３を備える。【選択図】  図７
2010029251.tif 000002
【特許請求の範囲】
【請求項１】
メダル払出口からメダルを払い出すメダル払出手段と、
上方に向けて開口する凹部の貯留部を有し、当該貯留部に前記メダル払出口から払い出されたメダルを受け入れて貯留するメダル受け皿と、
を備える遊技機であって、
前記貯留部は、
遊技者側に位置し、遊技機本体と対向する前壁を有し、
該前壁の上部は、下方から上方にかけて前記遊技者側から前記遊技機本体側へ向けて傾斜がつけられていることを特徴とする遊技機。
【請求項２】
前記前壁は、前記メダル払出口と対向する以外の部分に、他の部分より上端が低い位置に形成された切欠部を備えることを特徴とする請求項１に記載の遊技機。
【発明の詳細な説明】
【技術分野】
【０００１】
本発明は、メダル払出口からメダル受け皿にメダルを払い出す遊技機に関する。
【背景技術】
【０００２】
一般に、スロットマシンと呼ばれる回胴式遊技機は、複数種類のシンボルマークが外周回転方向に多数描かれた横３列の回動体である回胴リールを備え、遊技者がスタートレバーを操作すると、横３列の回胴リールが各々回転を開始し、その後、遊技者が適宜のタイミングで３個のストップボタンを各々押すと、その押したタイミングに応じて、各ボタンに対応する回胴リールが順次停止するようになっている。そして、このような回胴式遊技機は、各回胴リールに備えたシンボルマークが所定の位置に停止した場合に、「当たり」となって、遊技メダル（以下、単に「メダル」とも言う）をメダル受け皿に排出するようになっている（例えば、特許文献１参照）。
【０００３】
ここで、メダル受け皿は、比較的小さく形成されている。その理由として、遊技店内のスペースを有効利用してできるだけ多くのスロットマシンを配備してすること、スロットマシンから払い出される遊技メダルが見かけ上、多いように見せかけて、店のサービスをアピールすること等が挙げられる。
【０００４】
一方、従来の一般的なスロットマシンは、遊技中、ビッグボーナスと呼ばれる特別役に１回当たると、多数枚のメダル、例えば、払出枚数３４５枚、純増２７６枚のメダルを排出するようになっている。このような、ビッグボーナスに連続して当たった場合、上述したような比較的小さなメダル受け皿では、排出された多数枚のメダルにより短時間で内部が満杯になり、メダルがメダル受け皿から溢れ出て床に散らばるおそれがある。このような場合、遊技者は、メダルがメダル受け皿から溢れ出ないように、メダルをメダル収容箱（いわゆる、ドル箱）に移し替えていた。このため、遊技を一旦中断しなければならなかった。特に、上述のビッグボーナスが連続するような場合、遊技者は、メダル収容箱を一方の手で把持しながら、他方の手でメダル受け皿内のメダルをメダル収容箱に掻き出して移し替えるという動作を頻繁に行う必要があり、その動作を行う度に遊技を中断しなければならなかった。
【０００５】
このような問題の解決策の１つとして、遊技者がメダルを立てた状態、即ちメダルのメダル面を水平面に対して垂直またはそれに近い状態にして通常より多くのメダルをメダル受け皿に収納させる木の葉盛りと呼ばれる方法がある。
【０００６】
【特許文献１】特開２００３−２７５３７２号公報
【発明の開示】
【発明が解決しようとする課題】
【０００７】
しかしながら、このような従来のメダルをメダル受け皿に収納する技術では、遊技者がメダルを立てる作業の際に、メダルがメダル受け皿の前壁を越えて脱落することが多々あり、遊技者に不快な印象を与えていた。
【０００８】
本発明は、こうした従来の問題に鑑みてなされたものであり、不用意にメダルがメダル受け皿を越えて脱落する確率を低下させることができる遊技機を提供することを目的としている。
【課題を解決するための手段】
【０００９】
上述した課題を解決するため、請求項１に記載の発明は、メダル払出口からメダルを払い出すメダル払出手段と、上方に向けて開口する凹部の貯留部を有し、当該貯留部に前記メダル払出口から払い出されたメダルを受け入れて貯留するメダル受け皿と、を備える遊技機であって、前記貯留部は、遊技者側に位置し、遊技機本体と対向する前壁を有し、該前壁の上部は、下方から上方にかけて前記遊技者側から前記遊技機本体側へ向けて傾斜がつけられていることを特徴とする。
【００１０】
また、請求項２に記載の発明は、請求項１に記載の遊技機であって、前記前壁は、前記メダル払出口と対向する以外の部分に、他の部分より上端が低い位置に形成された切欠部を備えることを特徴とする。
【発明の効果】
【００１１】
本発明の遊技機によれば、メダル受け皿の貯留部内で遊技者がメダルを立てる作業の際に、メダル受け皿を越えようとするメダルがメダル受け皿の前壁の上部の傾斜に係止されるので、不用意にメダルがメダル受け皿の内壁面を越えて脱落する確率を低下させることができる。また、前記前壁の他の部分より上端が低い位置に形成された切欠部により、メダル受け皿からメダルを取り出す際の作業性の低下を防止できる。
【発明を実施するための最良の形態】
【００１２】
以下、本発明に係る遊技機の好適な実施形態を、スロットマシンを例に図面を参照して説明する。
【００１３】
図１は本発明の実施形態によるスロットマシン１の外観構造を表した斜視図である。
【００１４】
図１において、スロットマシン１は、前方に開口を有する略矩形状の箱体である筐体２と、当該筐体２に対して蝶番機構により回動可能に取付けられることで前記開口を開閉可能な状態で閉塞させる前扉３とを備えている。
【００１５】
前扉３の前面側は、上部パネル部４と下部パネル部５に略区分けされ、これらは視覚効果を高めてデザインされたいわゆる化粧板として、硬質プラスチックにより一体的に形成されている。更に、下部パネル部５の下方には、メダル受け皿部６が設けられている。メダル受け皿部６には、入賞時に払い出されるメダル（遊技媒体）を貯留するメダル受け皿６１が形成されている。
【００１６】
また、上部パネル部４と下部パネル部５との間には、遊技者側に突出し、ゲーム操作を行うためのスイッチ類が配置されている操作卓７が一体的に形成されている。なお、上部パネル部４、操作卓７、下部パネル部５、及びメダル受け皿部６は、遊技者側に面し、これらによって「前面パネル」が構成される。
【００１７】
上部パネル部４の中央には、硬質プラスチック板等で形成されたパネル面４１が設けられている。パネル面４１のほぼ中央には略長方形の透明な表示窓４２が形成されている。スロットマシン１は、このような表示窓４２を通して筐体２内に設けられているリールユニット１００の３個のリール１０１ａ、１０１ｂ、１０１ｃが目視されるようになっている。
【００１８】
ここで、筐体２内に設置されているリールユニット１００は、円筒形状のリール１０１ａ、１０１ｂ、１０１ｃがそれぞれ回転軸方向に並べられ、各リール１０１ａ、１０１ｂ、１０１ｃの外周面にはその周方向に沿って複数種類の図柄が描かれている。遊技者は、表示窓４２を通して３列のリールに描かれたそれぞれ上下方向３個の図柄を目視できる。
【００１９】
上部パネル部４の上部には、高輝度発光ダイオード等のランプ類を内蔵する演出用照明部４３と、ゲームに係る効果音を発生させるスピーカを内蔵する演出用放音部４４ａ、４４ｂが配置されている。
【００２０】
スロットマシン１は、ゲームの進行に応じて上述した演出用照明部４３等が点灯又は点滅することで、ゲームにおける視覚的な演出効果を高めるように形成されている。
【００２１】
また、演出用放音部４４ａ、４４ｂの間には、透明な硬質プラスチック板等が嵌め込まれて形成された表示窓４５に面して遊技機の演出装置として液晶表示装置４６が配置されている。なお、液晶表示装置４６は、ゲームの演出に係る映像やゲーム（遊技）に関する情報を主に表示する。
【００２２】
操作卓７の上面右側には本実施形態の要部となるメダル投入部７１が設けられている。メダル投入部７１は、メダルを投入するためのメダル投入口７２を有する。
操作卓７の上面左側には、押しボタンスイッチである２個のベットボタン７３、７４が設けられている。
【００２３】
ベットボタン７３、７４はスロットマシン１の１ゲームに賭けるメダルの枚数を提示するためのボタンスイッチである。本スロットマシン１においては、ゲームを開始する際に、ベットボタン７３が押圧操作されることで、内部貯留されているメダルから１枚のメダルがゲームに対して賭けられる。同様に、ベットボタン７４が押圧操作されることで３枚の当該ゲームにメダルが賭けられる。なお、ベットボタン７４は、最大枚数のメダルを賭けることから、特に「マックスベットボタン」と呼ばれている。
【００２４】
操作卓７の前面の左側には、リール１０１ａ、１０１ｂ、１０１ｃの回転開始を指示するためのスタートレバー７５が設けられている。スタートレバー７５は、先端に球形の操作ノブを有する揺動可能な操作桿を備え、操作桿が傾倒操作されるとオン、操作桿から手が離されるとスプリングの付勢力によって自動的に元の位置に戻ってオフ状態となるスイッチユニットで形成されている。
【００２５】
また、操作卓７の前面の左側のスタートレバー７５より右側には、各リール１０１ａ、１０１ｂ、１０１ｃの回転停止をそれぞれ指示するためのストップボタン７６ａ、７６ｂ、７６ｃが各リールの配列に対応して並設されている。
【００２６】
さらに、操作卓７の前面の左上隅には、ゲームに賭けられたメダルをキャンセルして払い出させることを指示するとともに、内部貯留したメダルを精算して払い出させることを指示するための精算ボタン７７が設けられている。
操作卓７の前面右上側には、後述のメダル選別装置３４（図２参照）で詰まったメダルを返却させるための詰まり解除ボタン７８が設けられている。
操作卓７の前面右隅には、前扉３を開錠するための鍵が挿入される鍵穴７９が設けられている。スロットマシン１の管理者等が鍵穴７９に所定の鍵を挿入して開錠操作すると、蝶番機構によって筐体２に取付けられている前扉３を前方へ開くことができ、また前扉３を筐体２側に閉じると、自動的にこれらを施錠するようになっている。
【００２７】
下部パネル部５には、スロットマシン１のモデルタイプを遊技者へ認識させる等のため、登場キャラクターの絵などを表示する表示パネル５１が設けられている。
【００２８】
下部パネル部５の下側に配置されたメダル受け皿部６には、入賞時にメダルを払い出すメダル払出口６２と、払い出されたメダルを貯留するメダル受け皿６１と、演出効果音を発生させるスピーカを内蔵する左右の演出用放音部６３ａ、６３ｂとが配置されている。メダル受け皿６１の前壁１６０の上部には、本実施形態の要部となる曲面部２０１、２０２及び切欠部２０３が形成されている。
【００２９】
次に、図２を参照して、筐体２の内部構造と前扉３の裏面構造とを説明する。
【００３０】
図２は前扉３を開放した状態におけるスロットマシン１の内部構造を表した図である。
【００３１】
図２において、筐体２の前方には開口８を有している。この開口８内の上部には、左右のブラケット部材８１、８２を介して硬質プラスチックの基板ケース８０に収納された主制御基板２０が取付けられている。主制御基板２０は、スロットマシン１の全体動作を集中制御するＣＰＵを備えている。
【００３２】
筐体２内の中央には、リール１０１ａ、１０１ｂ、１０１ｃを備えるリールユニット１００が設けられている。リールユニット１００は、前扉３が筐体２側に閉じられると前扉３の表示窓４２にリール１０１ａ、１０１ｂ、１０１ｃが対向するように、所定フレームに位置決めされて取付けられている。なお、各リール１０１ａ、１０１ｂ、１０１ｃは、それぞれに内蔵されたリールモータによって回転駆動される。
【００３３】
また、リールユニット１００の上部には、各リールを回転駆動する前記リールモータへ１−２相の駆動パルス信号を送出するリール基板１１０が取付けられている。主制御基板２０は、リール基板１１０に回胴駆動（励磁）パルスデータを送出することで、各リールの回転、制動及び停止の制御を行っている。
【００３４】
リールユニット１００の下方には、ホッパ装置２１と、ホッパ装置２１から溢れたメダルを収容するための補助貯留部２２と、電源ユニット２３が設けられている。電源ユニット２３の内部の右側には、いわゆる配電盤に相当する電源装置基板２４が設けられている。
【００３５】
電源ユニット２３は、ハーネスを介してホッパ装置２１及び主制御基板２０等の電気部品と電気的に接続する。また、電源ユニット２３は、前記筐体２の壁面の貫通孔９に挿通された電源コード１０を介して筐体２の外部から電力が供給され、供給された電力から所定の電圧値の電力を生成してホッパ装置２１及び主制御基板２０等の電気部品に供給する。ホッパ装置２１の前面には、メダルを排出するメダル排出口２５が設けられている。ホッパ装置２１の上部にはメダルを貯留するメダル収納部２６が設けられている。
【００３６】
更に、筐体２の上部右側の内壁に、遊技場に設置されている「ホールコンピュータ」と呼ばれる管理用コンピュータと接続可能な外部集中端子板２７が取付けられている。
【００３７】
一方、前扉３の裏面側上部には、発光駆動部３０が配置されている。発光駆動部３０は、上述の演出用照明部４３（図１参照）の光源である高輝度の発光ダイオードが複数配列され、この発光ダイオードを発光駆動する駆動回路が実装されている。
【００３８】
また、前扉３の裏面側上部には、上述の演出用放音部４４ａ、４４ｂ（図１参照）に対向してスピーカ３２ａ、３２ｂが取付けられている。また、スピーカ３２ａ、３２ｂの間には、液晶表示装置４６が取付けられている。更に、液晶表示装置４６の裏面側には、電気回路基板で形成され硬質プラスチックの基板ケース９０に収納されたサブ制御基板４０が取付けられている。
【００３９】
主制御基板２０及びサブ制御基板４０は、スロットマシン１の作動を制御する制御基板である。
【００４０】
サブ制御基板４０の下方には、リール１０１ａ、１０１ｂ、１０１ｃを目視させるための透明な表示窓４２が形成されたパネル板４７が配置され、表示窓４２の下方には、前面側のスタートレバー７５（図１参照）及びストップボタン７６ａ、７６ｂ、７６ｃ（図１参照）等の操作スイッチ類の出力信号を主制御基板２０へ転送する中継基板として機能する中央表示基板３３が設けられている。
【００４１】
メダル選別装置３４は、メダル投入口７２に投入されたメダルの適否を判別し振り分ける装置である。また、メダル選別装置３４はメダルセンサを内蔵しており、ゲームの待機状態等において正規のメダルが投入され、メダルセンサがこのメダルを検出することによって、メダル投入の受け付けを示す信号を主制御基板２０へ送出する。
【００４２】
メダル選別装置３４の下方には、メダル選別装置３４によって振り分けられた正規のメダルを筐体２内に設けられているホッパ装置２１へ案内するガイド部材３５と、メダル選別装置３４により排除されたメダル（又は異物）をメダル払出口６２（図１参照）へ案内するキャンセルシュート部材３６が設けられている。また、前扉３の裏面側下部には、ホッパ装置２１のメダル排出口２５から排出されたメダルをメダル払出口６２へ案内するガイド部材３７が設けられている。ホッパ装置２１及びガイド部材３７は、メダル払出口６２からメダルを払い出すメダル払出手段になっている。
更に、前扉３の裏面側下部のメダル払出口６２に隣接した位置には、上述した演出用放音部６３ａ、６３ｂ（図１参照）に対向するスピーカ３８ａ、３８ｂが取付けられている。
【００４３】
なお、スロットマシン１全体の動作は、筐体２側に設けられている主制御基板２０によって統括制御されており、サブ制御基板４０は、液晶表示装置４６による演出映像の表示制御、上述の演出用照明部４３の発光駆動部３０を用いた演出発光制御、及び演出用放音部４４ａ、４４ｂ、６３ａ、６３ｂのスピーカ３２ａ、３２ｂ、３８ａ、３８ｂを使った演出効果音制御など、ゲームの演出に係る制御を主に行っている。
【００４４】
次に、図３のブロック図を参照して、スロットマシン１に設けられている制御システムについて説明する。
【００４５】
図３はスロットマシン１の制御システムを表したブロック図である。
【００４６】
図３において、主制御基板２０は、メインＣＰＵ１２０と、記憶部１２１と、Ｉ／Ｆ回路１２２と、ソレノイド駆動回路１２３とを主要構成として備えている。
【００４７】
記憶部１２１は、ＲＯＭ、ＲＡＭ等の半導体メモリによって構成され、主要構成としてプログラムＲＯＭ１３１と制御ＲＡＭ１３２を有している。記憶部１２１のプログラムＲＯＭ１３１には、スロットマシンゲーム用のシステムプログラムが予め記憶されている。主制御基板２０は、記憶部１２１のプログラムＲＯＭ１３１に記憶されたシステムプログラムに従ってメインＣＰＵ１２０が演算処理を実行することで、スロットマシン１全体の動作を統括制御している。また、主制御基板２０は、スロットマシン１が内部貯留するメダルの数であるメダルクレジットを記憶部１２１の制御ＲＡＭ１３２に記憶させる。
【００４８】
主制御基板２０のメインＣＰＵ１２０には、中央表示基板３３及びＩ／Ｆ回路１２２を介してベットボタン７３、７４、スタートレバー７５、ストップボタン７６ａ、７６ｂ、７６ｃ、精算ボタン７７等の操作スイッチ類が接続されるとともに、中央表示基板３３及びＩ／Ｆ回路１２２を介してメダル選別装置３４のメダルセンサ１４１が接続されている。また、主制御基板２０のメインＣＰＵ１２０には、Ｉ／Ｆ回路１２２を介してソレノイド駆動回路１２３の入力側が接続されている。ソレノイド駆動回路１２３の出力側には、中央表示基板３３を介してメダル選別装置３４のフラッパータイプソレノイド１４２が接続されている。
【００４９】
また、主制御基板２０には、電源装置基板２４が接続されている。電源装置基板２４は、主制御基板２０のメインＣＰＵ１２０からＩ／Ｆ回路１２２を介して送信されるコマンドデータに基づいてメダル払出装置であるホッパ装置２１を駆動する。
【００５０】
フラッパータイプソレノイド１４２は、メダル選別装置３４に流下するコインを強制排除する図示しないメダルブロッカを駆動するためのものである。メインＣＰＵ１２０は、主制御基板２０に設けられたソレノイド駆動回路１２３を制御することでフラッパータイプソレノイド１４２のオン、オフを行う。
【００５１】
主制御基板２０のメインＣＰＵ１２０は、前記操作スイッチ類やメダル選別装置３４のメダルセンサ１４１からの出力信号によりゲームに係る操作を検出する。
【００５２】
また、主制御基板２０のメインＣＰＵ１２０は、動作モードがメダルベット待機状態となっている場合において、メダルセンサ１４１がメダルを検出した場合、検出したメダルをゲームの賭数に加算する。
【００５３】
また、主制御基板２０のメインＣＰＵ１２０は、動作モードがメダルクレジット入力待機状態となっている場合において、メダルセンサ１４１がメダルを検出した場合、検出したメダルを制御ＲＡＭ１３２が記憶するメダルクレジットに加算する。ここで、メダルベット待機状態とは、１つのゲームが終了した後、当該ゲームにメダルが賭けられるのを待機している状態のことを示している。メダルクレジット入力待機状態とは、当該ゲームにメダルが賭けられた後、制御ＲＡＭ１３２の前記クレジット数が最大値（例えば、５０）になるまでの状態のことを示している。
【００５４】
一方、左中右のリール１０１ａ、１０１ｂ、１０１ｃには、リールセンサ１０３ａ、１０３ｂ、１０３ｃが設けられている。
【００５５】
主制御基板２０のメインＣＰＵ１２０は、リール基板１１０及びＩ／Ｆ回路１２２を介してリールセンサ１０３ａ、１０３ｂ、１０３ｃの検出信号を受信し、各リールの基準となる回転位置を把握しながら、Ｉ／Ｆ回路１２２を介してリール基板１１０に所定の回胴駆動パルスデータを送信する。リール基板１１０は、主制御基板２０からの回胴駆動パルスデータに従って左中右のリールモータ１０２ａ、１０２ｂ、１０２ｃを回転駆動することで、各リール１０１ａ、１０１ｂ、１０１ｃの回転及び停止の動作制御を行っている。
【００５６】
主制御基板２０のメインＣＰＵ１２０は、Ｉ／Ｆ回路１２２及びリール基板１１０を介して外部集中端子板２７と接続しており、外部集中端子板２７にメダル払出信号等の遊技情報に関する信号と、払出エラー信号等のセキュリティーに関係する信号を送信する。
【００５７】
また、主制御基板２０のメインＣＰＵ１２０は、入賞が確定した場合等において、Ｉ／Ｆ回路１２２及び電源装置基板２４を介してホッパ装置２１を制御することで、所定数のメダルをメダル受け皿６１（図１参照）に払い出す。
【００５８】
さらに、主制御基板２０のメインＣＰＵ１２０は、精算ボタン７７が操作された場合、ゲームに賭けられたメダルをキャンセルしてホッパ装置２１に払い出させるとともに、制御ＲＡＭ１３２が内部貯留したメダルであるメダルクレジットを精算してホッパ装置２１に精算前のクレジット数のメダルを払い出させる。
【００５９】
サブ制御基板４０は、主制御基板２０からの制御信号に基づいて演出用照明部４３（図１参照）、演出用放音部４４ａ、４４ｂ、６３ａ、６３ｂ（図１参照）のスピーカ３２ａ、３２ｂ、３８ａ、３８ｂ（図２参照）、液晶表示装置４６（図１参照）等の演出装置５０を制御駆動することで、遊技者の視覚や聴覚に訴える演出をゲームの進行に応じて行っている。
【００６０】
一方、記憶部１２１の制御ＲＡＭ１３２には、内部当選した入賞役に対応するフラグを記憶する内部抽選フラグ記憶領域が設定されている。
【００６１】
メインＣＰＵ１２０は、Ｉ／Ｆ回路１２２を介して受信するスタートレバー７５の出力信号が当該スタートレバー７５の操作を示すことを契機に入賞役またはハズレを抽選する。そして、メインＣＰＵ１２０は、入賞役に当選した場合、記憶部１２１の内部抽選フラグ記憶領域における当選した入賞役のフラグをオンにする。ここでは、かかる入賞役の抽選方法を「内部抽選」と呼んでいる。
【００６２】
次に、スロットマシン１におけるゲーム動作の概要を説明する。
【００６３】
スロットマシン１は、先のゲームにおいて入賞しメダルの配当が完了した時、又は先のゲームにおいてハズレが確定すると待機状態となる。次に、遊技者がメダル投入ガイド７１のメダル投入口７２にメダルを投入し、もしくは、ベットボタン７３を三回押圧操作するかマックスベットボタン７４を一回押圧操作することで、スロットマシン１は、内部に貯留したメダル（クレジット）から当該ゲームに所定枚数（例えば、３枚）のメダルが賭けられゲームを準備する。
【００６４】
ゲーム準備の状態でスタートレバー７５が傾動操作されゲームが開始されると、主制御基板２０は、３個のリール１０１ａ、１０１ｂ、１０１ｃを一斉に回転させ始めるとともに、上述した内部抽選を実行する。内部抽選の結果は、内部抽選フラグ記憶領域に記憶される。
【００６５】
次に、遊技者により何れかのストップボタン７６ａ、７６ｂ、７６ｃが押圧操作されることで、リール１０１ａ、１０１ｂ、１０１ｃが停止し、主制御基板２０は、停止した各リールが表示する図柄と上述の内部抽選フラグ記憶領域に記憶された内部抽選の入賞役に係る図柄の組合せとが一致しているかどうか判定する。
【００６６】
これら図柄の組合せが一致し役への入賞が確定すると、スロットマシン１は、主制御基板２０により制御ＲＡＭ１３２の制御を行い、内部貯留しているメダルのクレジット数が所定の数になるまで、当該役の種類に応じて予め決められた配当数のメダルをクレジット数に加算する。さらに、スロットマシン１は、前記配当数と前記クレジット数の加算結果が前記所定の数を超過すると、この超過した数のメダルをメダル受け皿６１へ払い出す。
【００６７】
次に、本発明の一実施形態の要部となる受皿ユニット１５０及びその周辺部について詳細に説明する。
【００６８】
図４は本実施形態に係る受皿ユニット１５０及びその周辺部の分解斜視図である。
【００６９】
図４において、受皿ユニット１５０は、前扉３の基本構造となる前扉本体３００の下部３０１に複数のねじ３１１ａ、３１１ｂ…３１１ｆによりねじ止め固定される。
【００７０】
より詳しく説明すると、前扉本体３００の下部３０１には複数のねじ３１１ａ、３１１ｂ…３１１ｆのねじ部がそれぞれ挿入される貫通孔３０２ａ、３０２ｂ…３０２ｆが設けられている。受皿ユニット１５０の背面には複数のねじ３１１ａ、３１１ｂ…３１１ｆのねじ部がそれぞれ螺入される複数のねじ孔１７１ａ、１７１ｂ…１７１ｆが設けられている。ねじ３１１ａ、３１１ｂ…３１１ｆは、前扉本体３００の背面側からそれぞれ貫通孔３０２ａ、３０２ｂ…３０２ｆに挿入し、受皿ユニット１５０のねじ孔１７１ａ、１７１ｂ…１７１ｆにそれぞれ螺入することで、受皿ユニット１５０を前扉本体３００の下部３０１にねじ止め固定する。
【００７１】
受皿ユニット１５０は、外装部材１５１と、受皿部材１５２と、灰皿部材１５３と、板状の透明保護パネル１５４と、証紙用プレート１５５とで構成されている。
【００７２】
外装部材１５１及び受皿部材１５２は、硬質プラスチックを成型加工することで形成されている。灰皿部材１５３は、耐熱性の硬質プラスチックを成型加工することで形成されている。透明保護パネル１５４は、透明プラスチックを成型加工することで形成されている。
【００７３】
外装部材１５１の遊技者に対面する前面部１６１には証紙表示部１６２を形成する３つの略矩形状の証紙表示窓１６２ａ、１６２ｂ、１６２ｃが穿設形成されている。前面部１６１の上部には、本実施形態の要部となる曲面部２０１、２０２及び切欠部２０３が形成されている。外装部材１５１の左右の側面部１６３、１６４の背面には、複数の突起部１６５ａ、１６５ｂ…１６５ｄが設けられている。複数の突起部１６５ａ、１６５ｂ…１６５ｄには、受皿ユニット１５０を前扉３（図１参照）に固定するためのねじ孔１７１ａ、１７１ｂ…１７１ｄが形成されている。
【００７４】
また、外装部材１５１の底面部１６６の上面には、複数の固定用リブ１６７ｅ、１６７ｆと、外装部材１５１を成形加工する際にプラスチック材の冷却による変形を防止するための複数の肉盗みリブ１６８とが形成されている。複数の固定用リブ１６７ｅ、１６７ｆには、受皿ユニット１５０を前扉３（図１参照）に固定するためのねじ孔１７１ｅ、１７１ｆが形成されている。
【００７５】
また、外装部材１５１の底面部１６６には、受皿部材１５２に設けられた突片１８５に係合する係合爪１６９が形成されている。
【００７６】
受皿部材１５２は、底面部１８１と、前面部１８２と、左右の側面部１８３、１８４とにより形成されて、前扉本体３００の下部３０１とともにメダル払出口６２から払い出された遊技媒体（メダル）を貯留するための後述の貯留部２１０（図７参照）を形成する。底面部１８１の奥部下面側には上述した薄板状の突片１８５が一体的に形成されている。
【００７７】
一方、証紙用プレート１５５は透明プレート１９１と３枚の証紙１９２ａ、１９２ｂ、１９２ｃとから構成されている。
【００７８】
証紙用プレート１５５の透明プレート１９１は、例えばアクリル樹脂等の透明プラスチック材等の透光性及び弾性を有する素材を薄板状に形成したものである。
【００７９】
透明プレート１９１は、前述３枚の証紙１９２ａ、１９２ｂ、１９２ｃを保持している。
【００８０】
証紙１９２ａ、１９２ｂ、１９２ｃは、印面側が透明プレート１９１に対向するように配置され、透明プレート１９１を介して証紙１９２ａ、１９２ｂ、１９２ｃの印面の情報が視認可能になっている。この構成は、例えば印面側に接着剤層を形成したシールで証紙１９２ａ、１９２ｂ、１９２ｃを作製して透明プレート１９１に貼付して構成することができる。
【００８１】
前扉本体３００の下部３０１の前面左側及び右側には、それぞれ前方に膨出する膨出部３０３、３０４が形成されている。膨出部３０３、３０４は、外装部材１５１の左右の側面部１６３、１６４の背面側の内面と嵌合することで、受皿ユニット１５０を前扉本体３００に仮固定できるようになっている。
【００８２】
次に、受皿ユニット１５０の詳細な構造について説明する。
図５は受皿ユニット１５０及びその周辺部の正面図である。
【００８３】
図５において、受皿ユニット１５０は、前扉３の前扉本体３００の下部３０１の下端より僅か上側に固定されている。
【００８４】
外装部材１５１の遊技者に対面する前面部１６１の右側には、証紙表示部１６２の証紙表示窓１６２ａ、１６２ｂ、１６２ｃが左側から順に配列している。前面部１６１より左側には、灰皿部材１５３が着脱自在な状態で取り付けられている。前面部１６１の上部には、左側から順に曲面部２０１、切欠部２０３及び曲面部２０２が形成されている。曲面部２０１は、前面部１６１の左端からおよそ７５％の範囲で形成されている。曲面部２０２は、前面部１６１の右端からおよそ５％の範囲で形成されている。切欠部２０３は、前面部１６１のおよそ２０％の範囲形成されている。
【００８５】
メダル払出口６２と左の演出用放音部６３ａは、曲面部２０１の後方に配置される。右の演出用放音部６３ｂは、切欠部２０３の後方に配置される。
図６は図５のＡ−Ａ線断面図である。
図６において、外装部材１５１の前面部１６１の裏側には、透明保護パネル１５４が密接して配置されている。
【００８６】
透明保護パネル１５４は、図４に示す証紙表示窓１６２ａ、１６２ｂ、１６２ｃを前面部１６１の裏側から閉塞している。
【００８７】
図６において、受皿部材１５２は、その底面部１８１が外装部材１５１の底面部１６６に形成された複数の固定用リブ１６７ｅ、１６７ｆ（図４参照）及び肉盗み用リブ１６８（図４参照）の上面に載置された状態で、外装部材１５１に配置されている。受皿ユニット１５０は、受皿部材１５２の底面部１８１の下面に形成された突片１８５が外装部材１５１の底面部１６６に形成された係合爪１６９に係合することで、外装部材１５１に受皿部材１５２が固定されている。ここで、外装部材１５１の前面部１６１に取り付けられた透明保護パネル１５４と受皿部材１５２の前面部１８２は、空隙を介して対向するように配置され、この空隙が証紙用プレート１５５を収納するための収納スロット１５６を形成している。
【００８８】
このような構造により、外装部材１５１の前面部１６１と、受皿部材１５２の前面部１８２と、透明保護パネル１５４とは、前記受皿ユニット１５０の前壁１６０を構成している。受皿ユニット１５０は、複数のねじ３１１ａ、３１１ｂ…３１１ｆによって前扉３の前扉本体３００に固定される。
【００８９】
前壁１６０の前面部１６１の上部の曲面部２０１は、メダル払出口６２側に向けて湾曲している。
【００９０】
図７は受皿ユニット１５０及びその周辺部の斜視図である。
図７において、受皿ユニット１５０が前扉本体３００に固定された状態で、固定受皿ユニット１５０の受皿部材１５２と前扉本体３００の下部３０１に囲まれる空間は、上方に向けて開口する凹部を形成している。これにより、メダル受け皿６１は、上方に向けて開口する凹部の貯留部２１０を有し、当該貯留部２１０に前記メダル払出口６２から払い出されたメダルを受け入れて貯留する。
【００９１】
前記メダル受け皿６１の前記貯留部２１０は、開口面２１１と、前記開口面２１１と対向した底面２１２と、前記開口面２１１の縁から前記底面２１２の縁に亘って形成された内壁面２１３、２１４、２１５、２１６とから構成される。この場合、図７に示す底面２１２は、図４に示した受皿部材１５２の底面部１８１の上面になっている。図７に示す内壁面２１３は、前扉本体３００の下部３０１の前面の一部になっている。図７に示す内壁面２１４、２１５、２１６は、それぞれ図４に示した受皿部材１５２の前面部１８２、左右の側面部１８３、１８４の内側面になっている。
【００９２】
貯留部２１０の開口面２１１の縁は、前記メダル払出口６２側に設けられた第１の辺２２１と、該第１の辺２２１と平行な第２の辺２２２と、該第１及び第２の辺２２１、２２２の一方の端を結ぶ第３の辺２２３と、該第１及び第２の辺２２１、２２２の他方の端を結ぶ第４の辺２２４とからなる。
【００９３】
前壁１６０における前記第２の辺２２２側の内壁面２１４の上方には、上方に向かって延出するとともに前記第１の辺２２１側に向かって湾曲する曲面部２０１、２０２が形成されている。また、前記第２の辺２２２側の内壁面の上方の前記曲面部２０１、２０２の間には、当該曲面部２０１、２０２よりも上端が低い位置に形成される切欠部２０３が設けられている。前記曲面部２０１、２０２の湾曲率及び上下方向の高さは同一である。
【００９４】
このような構成を纏めて説明すると、貯留部２１０は、遊技者側に位置し、遊技機本体となる前扉本体３００の下部３０１と対向する前壁１６０を有し、該前壁１６０の上部となる曲面部２０１、２０２は、下方から上方にかけて前記遊技者側から前記前扉本体３００側へ向けて傾斜がつけられている。
前記前壁１６０は、前記メダル払出口６２と対向する以外の部分に、他の部分より上端が低い位置に形成された切欠部２０３を備える。
【００９５】
次に、ボーナスゲーム中の動作について説明する。
図８はボーナスゲーム開始後の受皿ユニット１５０及びその周辺部の動作を示す説明図である。図９は遊技者がメダルを立てる作業中の受皿ユニット１５０及びその周辺部の動作を示す説明図である。図１０は遊技者がメダルを立てた後のボーナスゲーム中の受皿ユニット１５０及びその周辺部の動作を示す説明図である。
【００９６】
スロットマシン1（図1参照）は、ボーナスゲーム中に、高確率で役に当選し、高確率でメダルの払出が行われる。
【００９７】
ボーナスゲームがスタートした直後の状態では、図８に示すように、メダル払出口６２から複数のメダル２５０が払い出され前記メダル受け皿６１の前記貯留部２１０の前記開口面２１１を介して底面２１２に累積する。メダル２５０は、寝た状態、即ちメダル面を水平面に対して平行またはそれに近い状態で底面２１２に累積される。
【００９８】
メダル払出口６２から複数のメダル２５０が２００枚程度払い出されると、図９に示すように、遊技者は、ボーナスゲームの操作を一旦中断して、手２５１を用いて、メダル２５０の山を底面２１２の後側から掬い上げて、メダル２５０のメダル面を水平面に対して垂直またはそれに近い状態に直して前方の内壁面２１４に押し当て、底面２１２の後ろ側を空いた状態にする。メダル２５０の山を掬い上げて内壁面２１４に押し当る際、当該メダル受け皿６１に設けられた前記曲面部２０１によってメダル受け皿６１の前板の内壁面２１４を越えようとするメダル２５０が係止されてメダル２５０の脱落が防止される。
【００９９】
この後、遊技者がボーナスゲームの操作を再開した状態では、図１０に示すように、底面２１２の後ろ側にメダル２５０が累積する。この後、ボーナス終了までやボーナス終了後、少ないゲーム数においてボーナスに再度と当選した場合など、必要があれば、さらに底面２１２の後ろ側のメダル２５０の山を底面２１２の後側から掬い上げて、メダル２５０のメダル面を水平面に対して垂直またはそれに近い状態に直して前方の内壁面２１４に押し当て、メダル２５０を立てる。このような作業をメダル受け皿６１にメダル２５０が満杯になるまで続ける。メダル受け皿６１に立てた状態のメダル２５０が満杯になると、遊技者は、メダル２５０をメダル収容箱（いわゆる、ドル箱）に移し替える。
【０１００】
以上に説明した実施形態によれば、前記メダル受け皿６１の貯留部２１０内で遊技者がメダル２５０を立てる作業の際に、当該メダル受け皿６１に設けられた前記曲面部２０１、２０２によってメダル受け皿６１の前板を越えようとするメダル２５０が係止されるので、不用意にメダル２５０がメダル受け皿６１の内壁面を越えて脱落する確率を低下させることができる。また、前記内壁面の第２の辺２１２側に前記曲面部２０１、２０２よりも上端が低い位置に形成される切欠部２０３を備えることで、メダル受け皿６１からメダル２５０を取り出す際の作業性の低下を防止できる。
尚、本実施形態のメダル受け皿の構造は、スロットマシンのみならずメダルを使用した他のゲーム機にも適用可能である。
【図面の簡単な説明】
【０１０１】
【図１】図１は、本発明の実施形態によるスロットマシンの外観構造を表した斜視図である。
【図２】図２は、本発明の実施形態によるスロットマシンの内部構造を表した図である。
【図３】図３は、本発明の実施形態によるスロットマシンの制御システムを表したブロック図である。
【図４】図４は、本発明の実施形態による受皿ユニット及びその周辺部の分解斜視図である。
【図５】図５は、本発明の実施形態による受皿ユニット及びその周辺部の正面図である。
【図６】図６は、本発明の実施形態による図５のＡ−Ａ線断面図である。
【図７】図７は、本発明の実施形態による受皿ユニット及びその周辺部の斜視図である。
【図８】図８は、本発明の実施形態によるボーナスゲーム開始後の受皿ユニット及びその周辺部の動作を示す説明図である。
【図９】図９は、本発明の実施形態による遊技者がメダルを立てる作業中の受皿ユニット及びその周辺部の動作を示す説明図である。
【図１０】図１０は、本発明の実施形態による遊技者がメダルを立てた後のボーナスゲーム中の受皿ユニット及びその周辺部の動作を示す説明図である。
【符号の説明】
【０１０２】
１…スロットマシン、２…本体筐体、３…外装用前扉、
４…上部パネル部、５…下部パネル部、６…メダル受け皿部、
７…操作卓、８…開口、９…貫通孔、１０…電源コード、
２０…主制御基板、２１…ホッパ装置、２２…補助貯留部、
２３…電源ユニット、２４…電源装置基板、２５…メダル排出口、
２６…メダル収納部、２７…外部集中端子板、３０…発光駆動部、
３２ａ、３２ｂ…スピーカ、３３…中央表示基板、
３４…メダル選別装置、３５…ガイド部材、
３６…ガイド部材、３７…ガイド部材、３８ａ、３８ｂ…スピーカ、
４０…サブ制御基板、４１…パネル面、
４２…表示窓、４３…演出用照明部、
４４ａ、４４ｂ…演出用放音部、
４５…表示窓、４６…液晶表示装置、
４７…パネル板、５０…演出装置、
５１…表示パネル、６１…メダル受け皿、６２…メダル払出口、
６３ａ、６３ｂ…演出用放音部、７１…メダル投入ガイド、
７２…メダル投入口、７３、７４…ベットボタン、
７５…スタートレバー、
７６ａ、７６ｂ、７６ｃ…ストップボタン押圧部材、
７７…精算ボタン、７８…詰まり解除ボタン、７９…鍵穴、
８０、９０…基板ケース、８１、８２…ブラケット部材、
１００…リールユニット、１０１ａ、１０１ｂ、１０１ｃ…リール、
１０２ａ、１０２ｂ、１０２ｃ…リールモータ、
１０３ａ、１０３ｂ、１０３ｃ…リールセンサ、
１１０…回胴装置基板、１２０…ＣＰＵ、１２１…記憶部、
１３１…プログラムＲＯＭ、１３２…制御ＲＡＭ、
１５０…受皿ユニット、１５１…外装部材、１５２…受皿部材、
１５３…灰皿部材、１５４…透明保護パネル、
１５５…証紙用プレート、１５６…収納スロット、１６１…前面部、
１６２…証紙表示部、１６２ａ、１６２ｂ、１６２ｃ…証紙表示窓、
１６３、１６４…側面部、
１６５ａ、１６５ｂ、１６５ｃ、１６５ｄ…突起部、
１６６…底面部、１６７ｅ、１６７ｆ…固定用リブ、
１６８…肉盗みリブ、１６９…係合爪、
１７１ａ、１７１ｂ、１７１ｃ、１７１ｄ、１７１ｅ…ねじ孔、
１７１ｆ…ねじ孔、１８１…底面部、１８２…前面部、
１８３、１８４…側面部、１８５…突片、
１８６…受皿部、１９１…透明プレート、
１９２ａ、１９２ｂ、１９２ｃ…証紙、
２０１、２０２…曲面部、２０３…切欠部、２１０…貯留部、
２１１…開口面、２１２…底面、
２１３、２１４、２１５、２１６…内壁面、
２２１、２２２、２２３、２２４…辺、
２５０…メダル、２５１…手、３００…前扉本体、
３０１…下部、３０２ａ、３０２ｂ、３０２ｃ…貫通孔、
３０２ｄ、３０２ｅ、３０２ｆ…貫通孔、
３０３、３０４…膨出部、３１１ａ、３１１ｂ、３１１ｃ…ねじ、
３１１ｄ、３１１ｅ、３１１ｆ…ねじ
【図１】
2010029251.tif 000003
【図２】
2010029251.tif 000004
【図３】
2010029251.tif 000005
【図４】
2010029251.tif 000006
【図５】
2010029251.tif 000007
【図６】
2010029251.tif 000008
【図７】
2010029251.tif 000009
【図８】
2010029251.tif 000010
【図９】
2010029251.tif 000011
【図１０】
2010029251.tif 000012